(57)【要約】      （修正有）【課題】人や動物の首の大きさに適合して、簡易かつ迅速に装着して冷却することができるクールバンダナを提供する。【解決手段】首に巻き付けて使用され保冷剤収納用のポケット１９を備えてなるバンダナ本体５と、このバンダナ本体５の一端側に設けられた弾性変形可能な輪９と、前記バンダナ本体の他端側に設けられ前記輪の弾性変形を利用して当該輪に係止される係止帯１３と、前記バンダナ本体の保冷剤収納用のポケットに収容される保冷剤１５とを具備してなる。【選択図】図１
0003162950.tif 000002
【実用新案登録請求の範囲】
【請求項１】
首に巻き付けて使用され保冷剤収納用のポケットを備えてなるバンダナ本体と、このバンダナ本体の一端側に設けられた弾性変形可能な輪と、前記バンダナ本体の他端側に設けられ前記輪の弾性変形を利用して当該輪に係止される係止帯と、前記バンダナ本体の保冷剤収納用のポケットに収容される保冷剤とを具備してなることを特徴とするクールバンダナ。
【請求項２】
前記輪が、中空環状をなした変形可能な外装材と、この外装材の内部に配設したゴムとを具備する請求項１記載のクールバンダナ。
【請求項３】
前記バンダナ本体が、一端から他端に至る長手方向寸法を変更するための長さ調節部を備えたものであり、この長さ調節部が、前記バンダナ本体の一端側に折り返し片を設けその折り返し片の先端を面ファスナを介してバンダナ本体の内面に位置変更可能に止着するものであり、前記折り返し片の折り返し部で前記輪を保持している請求項１または２記載のクールバンダナ。
【請求項４】
前記バンダナ本体が、犬の首に巻き付けて使用可能な長手方向寸法を備えたものである請求項１、２または３記載のクールバンダナ。
【請求項５】
前記輪が、中空環状をなした変形可能な外装材を備えており、
前記輪と係止帯とを係止した状態で、前記係止帯のまわりを輪が囲んで花の形が形成されるように、前記輪の外装材を花びらに見立てた形状にしている請求項１、２、３または４記載のクールバンダナ。
【考案の詳細な説明】
【技術分野】
【０００１】
本考案は、人や動物等の首を冷却するために好適に使用されるクールバンダナに関する。
【背景技術】
【０００２】
従来、人や動物等の首を冷却するために用いられるクールバンダナとして、首に巻き付けて使用されるバンダナ本体と、このバンダナ本体の一端側と他端側に設けられた面ファスナと、前記バンダナ本体に取り付けられる保冷剤とを具備してなるものが種々知られている（例えば、特許文献１を参照）。
【０００３】
このようなクールバンダナは、バンダナ本体を首に巻き付けた後に、バンダナ本体の一端側の面ファスナと他端側の面ファスナとを止着する位置を見計らって固定するものであるが、必ずしもほどよい位置に装着できるとは限らない。そのため、首の大きさに適合した最適な状態に装着するために、面ファスナを外して再度止着し直すという作業を何度か繰り返さなければならないという不具合がある。
【先行技術文献】
【特許文献】
【０００４】
【特許文献１】実用新案登録第３１４７５６３号公報
【考案の概要】
【考案が解決しようとする課題】
【０００５】
本考案は、首の大きさに適合した最適な状態に装着するために手間がかかるという不具合を解消することのできるクールバンダナを提供することを目的とする。
【課題を解決するための手段】
【０００６】
本考案は、以上のような課題を解決するために、次のような手段を講じたものである。すなわち、本考案に係るクールバンダナは、首に巻き付けて使用され保冷剤収納用のポケットを備えてなるバンダナ本体と、このバンダナ本体の一端側に設けられた弾性変形可能な輪と、前記バンダナ本体の他端側に設けられ前記輪の弾性変形を利用して当該輪に係止される係止帯と、前記バンダナ本体の保冷剤収納用のポケットに収容される保冷剤とを具備してなることを特徴とする。
【０００７】
このようなものであれば、バンダナ本体を首に巻き付けた後に、バンダナ本体の一端側の輪にバンダナ本体の他端側の係止帯を通し、当該輪の弾性変形を用いて簡単に係わり合せることができるため、クールバンダナを容易に首に装着することができる。さらに、この係わり合わせを輪の弾性変形を用いて行っているので、従来の面ファスナによる止着の際に生じていた不具合を解消することができる。すなわち、従来の面ファスナであれば、ほどよい位置に装着できない場合には、再度面ファスナの接着面を引き離して装着し直す必要があるが、本考案のものであれば、一旦装着すれば、たとえほどよい位置に装着できない場合であっても、輪の弾性変形により首に対する装着具合が調整されるため、締め付け感や不快感を与えにくく、首の大きさに適合した最適な状態に装着するために再度付け直す手間を解消できるという効果が得られる。
【０００８】
輪の具体的な一態様としては、中空環状をなした変形可能な外装材と、この外装材の内部に配設したゴムとを具備するものが挙げられる。
【０００９】
また、バンダナ本体を首に巻き付ける前に、首の大きさに合わせてバンダナ本体の長さ調整を容易に行うための一態様としては、バンダナ本体が、一端から他端に至る長手方向寸法を変更するための長さ調節部を備えたものであり、この長さ調節部が、前記バンダナ本体の一端側に折り返し片を設けその折り返し片の先端を面ファスナを介してバンダナ本体の内面に位置変更可能に止着するものであり、前記折り返し片の折り返し部で前記輪を保持しているものが考えられる。
【００１０】
具体的な一態様として、本考案のクールバンダナを犬の首に使用する場合には、バンダナ本体が、犬の首に巻き付けて使用可能な長手方向寸法を備えたものであることが好ましい。
【００１１】
また、輪が、中空環状をなした変形可能な外装材を備えている場合において、前記輪と係止帯とを係止した状態で、前記係止帯のまわりを輪が囲んで花の形が形成されるように、前記輪の外装材を花びらに見立てた形状にしていれば、首に取り付けた際に、首元をかわいらしく装飾することができる。
【考案の効果】
【００１２】
本考案によれば、首の大きさに適合した最適な状態に装着するために手間がかかるという不具合を解消することのできるクールバンダナを提供することができる。
【図面の簡単な説明】
【００１３】
【図１】本考案の一実施形態にかかるクールバンダナを示す正面図。
【図２】同実施形態のクールバンダナを分解して示す説明図。
【図３】同実施形態のクールバンダナの使用状態を示す図。
【図４】同実施形態のクールバンダナの使用方法を示す説明図。
【図５】同実施形態のクールバンダナの使用方法を示す説明図。
【図６】同実施形態のクールバンダナの使用方法を示す説明図。
【図７】本考案の他の実施形態にかかるクールバンダナを示す正面図。
【考案を実施するための形態】
【００１４】
以下、本考案の一実施形態について、図１ないし図６を参照して説明する。
【００１５】
本実施形態は、本考案を犬１の首に巻き付けて使用するクールバンダナ３に適用したものである。
【００１６】
このクールバンダナ３は、図１ないし図３に示すように、犬１の首に巻き付けて使用されるバンダナ本体５と、このバンダナ本体５の一端７に設けられた輪９と、前記バンダナ本体５の他端１１に設けられた係止帯１３と、前記バンダナ本体５に着脱可能に保持される保冷剤１５とを具備してなる。
【００１７】
バンダナ本体５は、図１ないし図３に示すように、布製の帯状のものであり、犬１の首に巻き付けて使用可能な長手方向寸法を備えてなる。このバンダナ本体５は、筒状に縫製され、帯状に扁平化された形状のもので、その内面１７側に保冷剤収納用のポケット１９を設けている。バンダナ本体５は、一端７側に長さ調節部２１を備えている。この長さ調節部２１は、一端７から他端１１に至る長手方向寸法を変更するためのものである。具体的には、この長さ調節部２１は、前記バンダナ本体５の一端７側に折り返し片２３を設け、その折り返し片２３の先端２５を面ファスナ２７、２９を介してバンダナ本体５の内面１７に位置変更可能に止着するものである。折り返し片２３の先端２５に設けられる面ファスナ２７は、例えばフックテープ等のいわゆる雄型のもので、比較的短寸な形状をなしている。一方、バンダナ本体５の内面１７に設けられる面ファスナ２９は、例えばループテープ等のいわゆる雌型のもので、バンダナ本体５の長手方向に伸びる比較的長尺な形状をなしている。そして、この雌型の面ファスナ２９の所望位置に、前記雄型の面ファスナ２７を止着し得るようになっている。
【００１８】
前記輪９は、図１ないし図３に示すように、弾性変形可能なものである。具体的には、この輪９は、中空環状をなし変形可能な外装材３１と、この外装材３１の内部に配設した円環状のゴム３３とを具備してなるもので、前記バンダナ本体５の折り返し片２３の折り返し部３５で保持されている。外装材３１は、生地を細かく寄せて部分的に膨らみをもたせてギャザーを形成してなる布製のもので、ゴム３３の伸縮に応じて前記ギャザーが伸び縮みし、その径が拡縮するものである。なお、この実施形態では、外装材３１は、前記バンダナ本体５と同じ素材の布を使用して作られている。
【００１９】
前記係止帯１３は、図１ないし図３に示すように、前記輪９の弾性変形を利用して、当該輪９に係止されるものである。具体的には、この係止帯１３は、生地を折り重ねてプリーツを形成してなる布製のもので、前記バンダナ本体５の他端１１に縫い付けられている。係止帯１３の基端３７は、バンダナ本体５の他端１１の幅寸法と同一の幅寸法を有し、係止帯１３の先端３９は、基端３９よりも大きな幅寸法を有しており、係止帯１３は全体として扇状をなしている。
【００２０】
前記保冷剤１５は、図２に示すように、前記バンダナ本体５の保冷剤収納用のポケット１９に挿脱可能に保持されるもので、ポケット１９から取り外して冷凍庫で冷やして繰り返し使用可能なものである。この保冷剤１５は、密封袋内に保冷媒体を充填してなる通常のもので、前記保冷媒体は、通常の冷凍庫で冷やしても変形可能なものである。
【００２１】
次に、このクールバンダナ３の使用方法について説明する。
【００２２】
まず、冷却した保冷剤１５を前記バンダナ本体５のポケット１９に装填した状態で、そのバンダナ本体５を保冷剤１５が前側にくるようにして、犬１の首に巻き付ける。その状態で、図４に示すように、係止帯１３を輪９の中に挿入し、しかる後に輪９をひねって図５に示すように二つの開口４１、４３が形成されるような８の字状にする。そして、一方の開口４１に挿通させてある係止帯１３の先端３９を他方の開口４３に挿入し、手を離すと、輪９の弾性変形により係止帯１３が輪９に係わり合って、図６に示す状態となる。この状態では、ある程度の牽引力がかかると係止帯１３が輪９に係わり合った状態を維持しながら輪９が変形し、一定以上の牽引力がかからない限り係止帯１３が輪９から外れることはない。また、この状態では、係止帯１３の周りを輪９が２重に囲んだ状態となっており、中心の係止帯１３を雌しべに、周りの輪９の外装材３１を花びらに見立てて、全体として花の形が形成されるようになっている。
【００２３】
以上に述べたように、本実施形態に係るクールバンダナ３は、バンダナ本体５を首に巻き付けた後に、弾性変形する環状のゴム３３を用いて、バンダナ本体５の一端７側の輪９にバンダナ本体５の他端１１側の係止帯１３を通した後に、係止帯１３に輪９を２回絡げるだけで、簡単にクールバンダナ３を首に装着することができる。すなわち、髪の毛をゴムで束ねるような簡単な動作で、取り付けることが可能となる。特に、本実施形態に示すような犬１の首に用いられるクールバンダナ３は、装着の際、犬１にじっとしていてもらうことが難しい場合であっても、短時間に装着動作が可能であり、特に効果的である。
【００２４】
また、一旦装着すれば、たとえほどよい位置に装着できない場合であっても、輪９の弾性変形により首に対する装着具合が調整されるため、締め付け感や不快感を与えにくい。そのため、首の大きさに適合した最適な状態に装着するために再度付け直す手間を省ける。特に、大きさ調整のために再度付け直して装着具合を変更することが難しい犬１には、効果的なものである。装着具合の大幅な調整が必要な場合には、例えば、輪９に通された係止帯１３の延出部４５を引っ張る等して微調整することができる。これは、特に、輪９が布製の外装材３１を備えており、係止帯１３も布製のものであるため、延出部４５を引っ張っても首に負担を掛けることは少ないことによるものである。
【００２５】
さらに、本実施形態のクールバンダナ３は、バンダナ本体５に長さ調節部２１を備えているので、バンダナ本体５を首に巻き付ける前に、巻き付ける首の大きさに合わせてバンダナ本体５の長さ調整を行うことができる。この長さ調節部２１は、主として面ファスナ２７、２９によって構成されており、簡単に長さ調整ができる。そして、比較的長い状態でバンダナ本体５を使用する際には、バンダナ本体５の内面１７に面ファスナ２９が表出し、首にこの面ファスナ２９が接触することとなるが、この面ファスナ２９は雌型のループテープを使用しているので、首に接触しても引っ掛かりに伴う不快感や痛みを与えるものではない。
【００２６】
また、バンダナ本体５には、弾性変形する部分を有していないため、しっかりと首にフィットしつつ、保冷剤１５もしっかり保持することができる。そして、長期間の使用や保冷剤１５から放出される水分にも十分に耐え得るものである。
【００２７】
係止帯１３は、その先端３９が基端３７よりも大きな幅寸法を有しており、また、生地を折り重ねてプリーツを形成しているので、輪９に係止させた際に係止状態を保持するための滑り止めの役割も兼ね備えている。
【００２８】
さらに、保冷剤１５の保冷媒体として、通常の冷凍庫で冷やしても変形可能なものを使用しているため、バンダナ本体５のポケット１９を介して保冷剤１５が首に当たっても、保冷剤１５が首にフィットした形状に変形することができ、心地よい装着感を得ることができる。
【００２９】
また、上記使用方法によって首に装着した際に、係止帯１３と輪９によって花の形状を形成することができるので、首に装着した際に首元を華やかに飾ることができる。特に、図３に示すように、クールバンダナ３を犬１の首に装着した際には、係止帯１３と輪９との係止部分にできた花の形状が、犬１の背中側に見えることとなる。そのため、飼い主がクールバンダナ３の装着や取り外しを容易にできるという効果のみならず、犬１のアクセサリーとしてもかわいらしさを演出できるという効果もある。
【００３０】
なお、本考案は以上に述べた実施形態に限られない。
【００３１】
例えば、本考案の他の実施形態にかかるクールバンダナＡ３を図７を参照して説明する。このクールバンダナＡ３は、首に巻き付けて使用され保冷剤収納用のポケットＡ１９を備えてなるバンダナ本体Ａ５と、このバンダナ本体Ａ５の一端Ａ７側に設けられた弾性変形可能な輪Ａ９と、前記バンダナ本体Ａ５の他端Ａ１１側に設けられ前記輪Ａ９の弾性変形を利用して当該輪Ａ９に係止される係止帯Ａ１３と、前記バンダナ本体Ａ５の保冷剤収納用のポケットＡ１９に収容される保冷剤Ａ１５とを具備してなるものである。本実施形態にかかるクールバンダナＡ３の基本的構成は、上述した実施形態にかかるクールバンダナ３と略同一であり、使用方法ならびに作用効果も同一またはこれに準ずるものであるため、詳細な説明を省略する。このクールバンダナＡ３は、上述した実施形態にかかるクールバンダナ３と比べて、バンダナ本体Ａ５に長さ調節部を備えていない点が異なるものであり、さらに、係止帯Ａ１３の長さ寸法を比較的長尺としている。なお、この係止帯Ａ１３を輪Ａ９に挿通させた際に、図示しない延出部の長さ寸法を調節することにより、微調整を行える。
【００３２】
また、このクールバンダナは、本実施形態では犬の首に巻き付けるものとして説明したが、犬の他に、猫をはじめとする他の動物や、人間に適用してもよいのはもちろんである。特に、犬や人間など、暑さに弱い生き物に対しては有効に使用することができる。
【００３３】
なお、本実施形態ではバンダナ本体に冷却剤を保持させたクールバンダナを説明したが、バンダナ本体のポケットに保持させるものを替えて、他の用途として用いてもよい。例えば、ポケットにネームプレートを入れて名札として使用したり、ポケットにカイロを入れて首元を暖めるためのバンダナとして使用することも考えられる。
【００３４】
その他、本考案の趣旨を損ねない範囲で種々に変更してよい。
【符号の説明】
【００３５】
３、Ａ３…クールバンダナ
５、Ａ５…バンダナ本体
７、Ａ７…一端
９、Ａ９…輪
１１、Ａ１１…他端
１３、Ａ１３…係止帯
１５、Ａ１５…保冷剤
１７…内面
１９、Ａ１９…ポケット
２１…長さ調節部
２３…折り返し片
２５…先端
２７、２９…面ファスナ
３１…外装材
３３…ゴム
３５…折り返し部
【図１】
0003162950.tif 000003
【図２】
0003162950.tif 000004
【図３】
0003162950.tif 000005
【図４】
0003162950.tif 000006
【図５】
0003162950.tif 000007
【図６】
0003162950.tif 000008
【図７】
0003162950.tif 000009